(57)【特許請求の範囲】
【請求項１】
第１ワイヤレスシステムによってサポートされる移動局（３５６）にインターオペラビリティ機能を提供するためにインターオペラビリティ装置を利用する方法において、前記第１ワイヤレスシステムは異なる技術ファミリを有する第２ワイヤレスシステム（５０２）に結合しており、
第２ワイヤレスシステムから来る呼を移動局へ配送するために情報をルート付けるインターオペラビリティ装置にて第２ワイヤレスシステムからのリクエストを受信するステップと、前記呼が第１ワイヤレスシステムによって前記移動局へ配送できるかどうかをインターオペラビリティ装置（４６８）によって確認するステップとを含む前記方法において、
移動局に対するサービスが第２ワイヤレスシステムから要求される呼のタイプの受信を含まないということを示す移動局の登録状態に基づいて、前記呼を移動局へ配送できないことをインターオペラビリティ装置（４６８）によって判断するステップと、
前記呼を移動局へ配送できないという判断に応答して、インターオペラビリティ装置（４６８）によって失った呼メッセージを生成するステップと、
前記失った呼メッセージを移動局へ送信するステップとを含むことを特徴とする方法。
【請求項２】
請求項１記載の方法において、前記判断するステップは、前記呼のリクエストが音声呼用であること、および移動局が、音声呼の受信を含まないサービスに対して第１ワイヤレスシステム（４１０）により登録されることを判断する方法。
【請求項３】
請求項２記載の方法において、移動局（３５６）はＧＰＲＳ専用通信用の第１ワイヤレスシステムによってサポートされている方法。
【請求項４】
請求項１記載の方法において、前記生成するステップは、発呼者の識別の情報を含む、失った呼メッセージを生成することを含む方法。
【請求項５】
請求項１記載の方法において、前記判断するステップは、移動局が音声呼を受け入れることができるかどうかを判断するために第１ワイヤレスシステム（４１０）で移動局（３５６）の登録状態を監視することを含む方法。
【請求項６】
第１ワイヤレスシステム（４１０）によってサポートされる移動局（３５６）にインターオペラビリティ機能を提供するインターオペラビリティ装置において、前記第１ワイヤレスシステムは異なる技術ファミリを有する第２ワイヤレスシステム（５０２）に結合しており、第２ワイヤレスシステムから来る呼を移動局へ配送するために情報をルート付けるインターオペラビリティ装置にて第２ワイヤレスシステムからのリクエストを受信する手段と、前記呼が第１ワイヤレスシステムによって前記移動局へ配送できるかどうかをインターオペラビリティ装置（４６８）によって確認する手段とを含む前記インターオペラビリティ装置において、
移動局のためのサービスが第２ワイヤレスシステムから要求される呼のタイプの受信を含まないことを示す移動局の登録状態に基づいて、前記呼を移動局へ配送できないことをインターオペラビリティ装置（４６８）によって判断する手段と、
前記呼を移動局へ配送できないという判断に応答して、インターオペラビリティ装置（４６８）によって失った呼メッセージを生成する手段と、
前記失った呼メッセージを移動局へ送信する手段とを含むことを特徴とするインターオペラビリティ装置。
【請求項７】
請求項６記載のインターオペラビリティ装置において、前記判断する手段は、前記呼のリクエストが音声呼用であること、および移動局が、音声呼の受信を含まないサービスに対して第１ワイヤレスシステム（４１０）で登録されることを判断することを含むインターオペラビリティ装置。
【請求項８】
請求項７記載のインターオペラビリティ装置において、移動局（３５６）はＧＰＲＳ専用通信用の第１ワイヤレスシステムによってサポートされているインターオペラビリティ装置。
【請求項９】
請求項６記載のインターオペラビリティ装置において、前記生成する手段は、発呼者の識別の情報を含む、失った呼メッセージを生成することを含むインターオペラビリティ装置。
【請求項１０】
請求項６記載のインターオペラビリティ装置において、前記判断する手段は、移動局が音声呼を受け入れることができるかどうかを判断するために第１ワイヤレスシステム（４１０）で移動局（３５６）の登録状態を監視することを含むインターオペラビリティ装置。
【発明の詳細な説明】
【０００１】
【発明の属する技術分野】
本発明は、電気通信システムに関し、特に、無線インタフェース、呼モデル、あるいはその他のプロトコルに関して相異なる技術ファミリを用いた電気通信システム間における一定のサービスのインターワーキングおよびインターオペラビリティを提供するシステムおよび方法に関する。
【０００２】
【従来の技術】
多くのワイヤレス電気通信加入者には、自己のホームシステム以外の電気通信システムでも自己のワイヤレス端末を使用したいという要望がある。加入者はまた、既存の加入権を用いて、自己のホームシステム以外の電気通信システムを通じて、アクセス時の端末が自己の通常の電気通信端末であるかどうかにかかわらず、電気通信サービスにアクセスしたいという要望もある。この要求は、加入者が旅行しているときや、自己のホームシステムのサービスエリアの外部にいるときに、頻繁に生じる。このため、電気通信システム製造業者およびシステム事業者は、端末とサービング（サービスを提供する）システムが互換であれば、加入者が、自己のホームシステムではないシステムを介して自己の電気通信端末および加入権を用いてサービスを受けることを可能にする設備を開発してきた。この機能はしばしば「ローミング」と呼ばれる。
【０００３】
ローミング加入者にサービスを提供することは、サービングシステムとホームシステムが同一の技術を使用しているときであっても困難であるが、サービングシステムがホームシステムで用いられているものとは異なる無線インタフェースや呼モデルの技術ファミリを用いて実装されている場合には、メッセージプロトコル、呼モデル、ならびに基礎となるシステムの基本的な構造および設備における根本的な相違により、このようなシステム間のインターワーキングを提供する際には特別の困難が生じる。さらに、これらの相違は、ある範囲の旧式の技術を含むネットワークに新たな技術が導入され、新旧の技術が相互作用（インターワーキング）することが必要となるにつれて、時間とともに激化する。
【０００４】
図１に、２つのワイヤレスシステムの選択されたコンポーネントの相互接続のための知られている構成１００を示す。一方のシステムは、従来の北米ワイヤレス技術（アナログセルラ（ＡＭＰＳ）、ＴＤＭＡ、ＣＤＭＡなどのような）のうちの１つを用いた「サービング」システム１１０であり、他方は「ホーム」ＧＳＭシステム１１２である。「ドメスティックワイヤレス」（ＤＷ：domestic wireless）という用語は、上記のものを含むがそれには限定されない、北米で用いられるワイヤレス無線インタフェースおよび呼モデルの標準のうちの任意のものを指すことを意図している。図示されているコンポーネントは、「サービング」ドメスティックワイヤレス型システム１１０のサービスエリア内で、ＧＳＭシステム１１２のホーム加入権を有するＤＷ移動局（ＭＳ：mobile station）１１４にサービスを提供するために、システム間の一定のインターワーキングに必要なものを例示するために選択されている。理解されるように、サービングＤＷシステム１１０とホームＧＳＭシステム１１２はいずれも音声機能を有する。一般に、移動局１１４は、（ＧＳＭ以外の）ＤＷ標準のうちの１つ以上のものと互換性があり、かつ、ＧＳＭ標準とも互換性のあるデュアルモード端末である。移動局１１４は、無線リンク１１８、無線基地局装置（図示せず）、および、基地局装置をＭＳＣ／ＶＬＲ１１６に接続するリンクを介して、ＤＷ  ＭＳＣ／ＶＬＲと通信する。破線１２０は、２つのシステム１２０と１１２の間の境界を表す。システム間のインターワーキングを提供するために、ＤＷシステム１１０は、ＧＳＭシステム１１２と通信しなければならない。当業者に知られているように、ＧＳＭシステム１１２は、ＧＳＭ  ＭＳＣ／ＶＬＲエミュレーション機能１２６に接続された、ＤＷシステム１１０と互換性のあるＨＬＲエミュレーション機能１２４を含む、インターワーキング・インターオペラビリティ機能（ＩＩＦ：Interworking and Interoperability Function）１２２を提供することが可能である。これらの要素に用いた「機能」という用語は、「機能コンポーネント」と等価であることを意図している。ＩＩＦ１２２は、適当なシグナリングリンクを介してＤＷ  ＭＳＣ／ＶＬＲ１１６に接続される。このシグナリングリンクは、オプションとして、信号転送ポイント（ＳＴＰ）１２８を含むことも可能である。
【０００５】
ＩＩＦ１２２のＨＬＲエミュレーション機能１２４は、ＤＷ  ＭＳＣ／ＶＬＲ１１６にとって、他のＤＷ  ＨＬＲと同じように見える。これはすなわち、ＩＩＦ１２２のＨＬＲエミュレーション機能１２４は、ＤＷ  ＭＳＣ／ＶＬＲ１１６にとって多かれ少なかれ透過的に、このようなＨＬＲの機能を提供するように見えるということである。ＩＩＦ１２２のＧＳＭ  ＭＳＣ／ＶＬＲコンポーネント１２６も同様に、ＧＳＭネットワーク１１２内では、他のＧＳＭ  ＭＳＣ／ＶＬＲと同じように見える。ＧＳＭ  ＭＳＣ／ＶＬＲ１２６は、ＧＳＭ  ＨＬＲ１３０に接続される。こうして、ＩＩＦ１２２は、ＤＷ  ＭＳＣ／ＶＬＲ１１６がＩＩＦ１２２と通常の登録、呼処理およびその他のトランザクションを実行することを可能にするように、シグナリングプロトコル、呼モデル、およびその他の必要な翻訳を提供する。ＩＩＦ１２２がＤＷ  ＨＬＲの機能を実行するためにＧＳＭネットワーク１１２から情報またはその他の資源を必要とする限りにおいて、ＧＳＭ  ＭＳＣ／ＶＬＲコンポーネント１２６は、それらの資源を直接に管理することも、ＧＳＭ  ＨＬＲ１３０のような他の要素にそれらを要求することも可能である。
【０００６】
当業者に知られているように、ＭＳ１１４は、ＤＷ  ＭＳＣ／ＶＬＲ１１６に登録を行い（メッセージ１３２）、ＤＷ  ＭＳＣ／ＶＬＲ１１６は、適当な登録通知（ＲＥＧＮＯＴ）メッセージ１３４（あるいは、ＳＴＰ１２８が使用される場合にはメッセージ１３４ａおよび１３４ｂ）をＩＩＦ１２２に伝達し、ＩＩＦ１２２は、必要な翻訳を実行し、さらに、その結果得られるＧＳＭプロトコル登録メッセージ１３６をＧＳＭ  ＨＬＲ１３０に伝達する。確認応答（図示せず）があれば、同様にして、逆方向に伝えられ翻訳される。
【０００７】
図２に、サービングシステム２１０とホームシステム２１２が逆になっていることを除いては図１のものと同様の構成２００を示す。すなわち、図２において、サービングシステム２１０はＧＳＭシステムであり、ホームシステム２１２はＤＷシステムである。理解されるように、サービングＧＳＭシステム２１０とホームＤＷシステム２１２はいずれも音声機能を有する。ＭＳ２１４は、デュアルモードまたはマルチプルモード移動機であるか、または、加入者のホームＤＷ加入権に対応する加入者識別モジュール（ＳＩＭ：Subscriber Identity Module）を含むＧＳＭ専用移動機であり、通常のＧＳＭプロトコルを用いて登録を行う（メッセージ２３２）。ＧＳＭ  ＭＳＣ／ＶＬＲ２１６は、例えば位置更新メッセージ２３４を、インターワーキング・インターオペラビリティ機能（ＩＩＦ）２２２に送信する。
【０００８】
図２のＩＩＦ２２２は、ＧＳＭ  ＨＬＲ（または適当なエミュレータ）２２４と、ＤＷ  ＭＳＣ／ＶＬＲ（または適当なエミュレータ）２２６を含む。ＤＷ  ＭＳＣ／ＶＬＲ２２６は、必要に応じてＤＷプロトコルを用いてメッセージを翻訳し（例えば、適当な登録通知メッセージ２３６を作成することが可能である）、それをＤＷ  ＨＬＲ２３０に送信する。この場合、ＧＳＭ認証機能は複雑であり、ＤＷ  ＨＬＲ２３０によってサポートされないため、ＧＳＭ  ＨＬＲ２２４は認証機能も実行しなければならない。しかし、ＤＷ  ＨＬＲ２３０は、移動局の登録に関連する他の通常の機能は実行することが可能である。ＤＷ  ＨＬＲ２３０によって生成される確認応答２３８があれば、逆方向に送信され翻訳される。
【０００９】
当業者に知られているように、ＧＳＭシステム２１０内をローミング中のＭＳ２１４への呼は、最初に、ホームＤＷ  ＭＳＣ／ＶＬＲ（図示せず）に配送され、このホームＤＷ  ＭＳＣ／ＶＬＲは、ＤＷ  ＨＬＲ２３０を参照して、ＭＳ２１４の位置を決定し、最終的な配送のために呼をＧＳＭ  ＭＳＣ／ＶＬＲ２１６に送るのに必要なルーティング情報を提供する。この場合、ＤＷ  ＨＬＲ２３０は、ＩＩＦ２２２のＤＷ  ＭＳＣ／ＶＬＲエミュレーティングコンポーネント２２６に、一時ローカルディレクトリ番号（ＴＬＤＮ：Temporary Local Directory Number）を問い合わせ、ＩＩＦ２２２は、ＧＳＭ  ＭＳＣ／ＶＬＲ２１６に、移動加入者ローミング番号（ＭＳＲＮ：Mobile Subscriber Roaming Number）を問い合わせることになる。ＩＩＦ２２２は、ホームＤＷ  ＭＳＣ／ＶＬＲが呼をＧＳＭ  ＭＳＣ／ＶＬＲ２１６に送ることができるように、受け取ったＭＳＲＮをＴＬＤＮとしてホームＤＷ  ＭＳＣ／ＶＬＲに送る。
【００１０】
これらのプロセスは、移動局２１４およびＧＳＭネットワーク２１０がいずれも、音声／回線機能を有することを仮定している（ただし、これらはパケットＧＰＲＳ機能を有することも可能である）。その場合、ＧＳＭ  ＨＬＲ２２４、ＧＳＭ  ＭＳＣ／ＶＬＲ２１６、およびＤＷ  ＨＬＲ２３０は、呼の着信を含めて、移動局２１４に電気通信サービスを提供するのに必要な従来のモビリティ管理およびその他の機能を提供することが可能である。
【００１１】
しかし、加入者は、ＧＳＭシステム２１０からの音声／回線サービスを利用することはできなくても、ＧＰＲＳサービスが利用可能であってローミングが可能であれば、それを利用したいと考える場合がある。例えば、加入者は、ＧＰＲＳ（すなわち、パケットデータ）サービスは利用可能であるがＧＳＭサービス（すなわち、回線音声およびデータ）は利用可能でないエリアにいる場合がある。同様に、旅行中には、ＧＰＲＳシステムとは互換性があるがＧＳＭシステムとは互換性のない移動局あるいは端末が加入者にとって利用可能な場合がある。例えば、そのような移動局は、音声機能のないワイヤレス携帯情報端末（ＰＤＡ）である。
【００１２】
【発明が解決しようとする課題】
残念ながら、図２のＤＷ  ＨＬＲ２３０のような従来のＤＷ  ＨＬＲは、回線交換音声またはデータのデバイスのみをサポートするように構成されている。このようなＤＷ  ＨＬＲは、ＧＰＲＳ専用またはパケット専用モードの端末や、ＧＰＲＳまたはパケット機能のみを有する端末の登録を収容するように装備されていない。このため、従来のＤＷ  ＨＬＲには、ＧＰＲＳ専用またはパケット専用の登録がわからない。その結果、従来のＤＷ  ＨＬＲは、ＧＰＲＳ専用またはパケット専用の移動局に関する一定のサービスを実行することができない。
【００１３】
従来のＤＷ  ＨＬＲが実行することができないサービスの１つは、到来するショートメッセージサービス（ＳＭＳ：Short Message Service）のメッセージが移動局に着信することを可能にするための、サービングＧＰＲＳサポートノード（ＳＧＳＮ：Serving GPRS Support Node）の識別である。一般に、このようなメッセージは、最初にＤＷネットワークのメッセージセンタ（ＭＣ：message center）要素に送られ、この要素は、ＤＷ  ＨＬＲ２３０に接続されている。ＤＷネットワークでは、移動局は、パケット専用の登録をしようとせず、むしろ、この移動局は、ＤＷ  ＨＬＲ２３０と互換性のあるように登録を行う。ＤＷネイティブのローミング中のＧＰＲＳ専用またはパケット専用端末がＧＳＭネットワーク２１０で登録を行うとき、ホームネットワーク２１２内のＤＷ  ＨＬＲ２３０には、このような登録に関する情報を受け入れる設備がなく、特に、サービングＧＰＲＳ  ＳＧＳＮの識別を記憶しておく設備がない。このため、ＳＭＳメッセージがＤＷネットワーク２１２のメッセージセンタに到着した場合、ＤＷ  ＨＬＲ２３０は、ＳＭＳメッセージが移動局への配送のためにサービングＳＧＳＮに転送されることを可能にするルーティング情報を提供することができない。
【００１４】
したがって、本発明の目的は、従来技術のシステムの上記の欠点を最小にするインターワーキング・インターオペラビリティ機能を提供することである。
【００１５】
【課題を解決するための手段】
本発明の特徴によれば、サービングＧＳＭあるいはＧＰＲＳシステムと、ある一定の「ドメスティックワイヤレス」システムとのインターワーキングおよびインターオペラビリティを可能にする電気通信システムコンポーネントおよびそれとともに用いられる方法が提供される。本発明によれば、このようなドメスティックワイヤレスシステムをホームとするが、ＧＰＲＳ専用モードでサービングシステムに登録されている移動局は、サービングシステムからサービスを受けることが可能となる。「ドメスティックワイヤレス」（ＤＷ）という用語は、一般に北米で用いられているＴＤＭＡ、ＣＤＭＡ、およびアナログセルラシステムのＡＮＳＩまたはそれと同等の標準と互換性のある、あるいは他の同様のシステムと互換性のある、非ＧＳＭシステムを指すことを意図している。このシステムは、サービングＧＰＲＳネットワークとホームネットワークの間のインターワーキングおよびインターオペラビリティに必要な一定の機能およびサービスを提供する、ＧＰＲＳインターワーキング・インターオペラビリティ機能コンポーネント（以下、ＩＩＦという）を有する。
【００１６】
ＧＰＲＳ  ＩＩＦは、ＧＰＲＳ  ＨＬＲの機能を提供し、または、その機能をエミュレートするとともに、他のＧＰＲＳ  ＨＬＲとは本質的に区別できないように、サービングＧＰＲＳシステムとインタフェースする、ＧＰＲＳ  ＨＬＲコンポーネントを有する。ＧＰＲＳ  ＩＩＦはまた、通常のショートメッセージサービス・サービスセンタ（ＳＭＳ−ＳＣ：short message service-service center）の機能を提供し、またはエミュレートする、ＧＰＲＳ  ＳＭＳ−ＳＣコンポーネントを有する。ＧＰＲＳ  ＩＩＦはさらに、ＡＮＳＩ／ＤＷ  ＭＳＣ／ＶＬＲの機能を提供し、またはその機能をエミュレートするとともに、他のＡＮＳＩ／ＤＷ  ＭＳＣ／ＶＬＲとは本質的に区別できないように、ホームＡＮＳＩ／ＤＷシステムとインタフェースする、ＡＮＳＩ／ＤＷ移動通信交換センタ／在圏ロケーションレジスタ（ＭＳＣ／ＶＬＲ：mobile switching center/visitor location register）コンポーネントを有する。ＧＰＲＳ  ＩＩＦはさらに、ＡＮＳＩ／ＤＷシステムのメッセージを、ＧＳＭ／ＧＰＲＳシステムの機能的に等価なメッセージに、およびその逆に翻訳するとともに、システム間の翻訳を実行するために必要に応じて状態情報を管理する設備を有する。ＧＰＲＳ  ＩＩＦは、ＧＳＭ  ＩＩＦと協調して動作することが可能であり、いくつかの実施例では、ＧＰＲＳ  ＩＩＦおよびＧＳＭ  ＩＩＦの機能は、単一のＩＩＦユニットに統合あるいは結合される。
【００１７】
本発明の特徴によれば、ＧＰＲＳ  ＩＩＦは、ＡＮＳＩ／ＤＷをホームとする移動局による、ＧＰＲＳ専用モードでのＧＳＭ／ＧＰＲＳまたはＧＰＲＳ専用システムへの登録あるいはアタッチ(attach)を収容する。ＧＰＲＳ  ＩＩＦは、加入者がＧＰＲＳ専用またはパケット専用モードでＧＰＲＳネットワークにアタッチしようとしていることを検出する。ＧＰＲＳ  ＩＩＦは、これに応答して、ＤＷ  ＨＬＲに、音声または回線サービス機能を有する移動局の登録をシミュレートして、ＤＷネットワークの回線交換プロトコルによる適当な登録通知メッセージを送信する。これを行う際に、ＧＰＲＳ  ＩＩＦは、移動局が登録をしたときにＧＳＭ移動通信交換センタ／在圏ロケーションレジスタ（ＭＳＣ／ＶＬＲ）を識別するために通常用いられるフィールドで、移動局が登録をしたときの対応するサービングＧＰＲＳサポートノード（ＳＧＳＮ）の識別を、ＤＷ  ＨＬＲに提供する。その結果、ＤＷ  ＨＬＲは、ＧＰＲＳ専用またはパケット専用で登録をした移動局に関する情報を、それがあたかも普通通りに登録をした通常の音声または回線サービス機能を有する移動局であるかのように管理する。しかし、ＤＷＨＬＲは、加入者を、ＩＩＦのＭＳＣ／ＶＬＲエミュレーティングコンポーネントに登録をしているものとして扱う。その後、移動局のための呼配送またはＳＭＳ配送アテンプト（試行）が、ＤＷ  ＨＬＲへの問合せを引き起こした場合、ＤＷ  ＨＬＲは、前に登録手続き中にＩＩＦから受け取った、ＳＧＳＮに対応するＧＰＲＳ  ＩＩＦ／ＭＳＣ／ＶＬＲのアドレスを、ＭＳＣ識別子として提供する。
【００１８】
本発明のもう１つの特徴によれば、サービングＧＰＲＳネットワークを通じて加入者にＳＭＳ型メッセージが着信することを可能にする、電気通信システムコンポーネントおよびそれとともに用いられる方法が提供される。本発明によれば、加入者は、異なる技術ファミリまたはプロトコルのネットワークをホームとし、加入者は、ＧＰＲＳ専用またはパケット専用モードで登録される。移動局のための呼配送またはＳＭＳ配送アテンプトが、ＤＷ  ＨＬＲへの問合せを引き起こした場合、ＤＷ  ＨＬＲは、前に登録手続き中にＩＩＦから受け取った、ＳＧＳＮに対応するＧＰＲＳ  ＩＩＦ／ＭＳＣ／ＶＬＲのアドレスを、ＭＳＣ識別子として提供する。呼配送、ＳＭＳ配送、またはメッセージ待機通知に関して、この移動局に関連する、ＭＳＣ／ＶＬＲ宛の将来のすべてのメッセージは、ＤＷ  ＭＳＣ／ＶＬＲをエミュレートするＩＩＦにルーティングされる。このようなメッセージは、適当な場合には（例えば、ＳＭＳメッセージまたはメッセージ待機通知の場合）、ＭＳにサービスを提供するＳＧＳＮに送信される。ＧＰＲＳ  ＩＩＦ自体が、一部のこのようなメッセージを生成または翻訳することも可能である。
【００１９】
本発明のもう１つの特徴によれば、サービング電気通信システムは、上記のようにＳＭＳメッセージとして移動局へ伝達されるメッセージ、指示、またはイベントを生成することが可能である。場合によっては、メッセージ、指示、またはイベントは、移動機によって特別な機能に使用されるために、または、ユーザに対して表示するために、例えば、ＩＩＦ／ＭＳＣ／ＶＬＲによって、ＤＷサービングシステムのフォーマットから、適当なＳＭＳメッセージに翻訳されなければならない。例えば、ネットワークが、ＧＰＲＳ専用またはパケット専用モードで登録されたＭＳ宛の音声または回線交換呼を受け取った場合、この呼は、移動機へ配送されることができない。このため、この呼は、ＤＷホームネットワークに位置するボイスメールシステムへ転送されるというような、適当な処理を受ける。発呼者が、ボイスメールメッセージを残すことを選択した場合、ボイスメールシステムは、独自のインタフェースを用いて、サービングＤＷシステムのＨＬＲに、メッセージ待機状態について通知することが可能である。ＤＷ  ＨＬＲは、好ましくは、メッセージ待機指示を含む許可指令（ＱｕａｌＤｉｒ：Qualification Directive）メッセージを（ＤＷプロトコルで）ＧＳＭ／ＧＰＲＳシステムのＩＩＦ／ＭＳＣ／ＶＬＲに送信する。ＩＩＦは、移動局による使用のために、このメッセージを、メッセージ待機指示を含む適当なＳＭＳメッセージに翻訳する。ＩＩＦは、このメッセージをサービングＳＧＳＮに送信し、サービングＳＧＳＮは、それをＧＳＭ移動局へ伝達する。同様のプロセスは、移動局が音声または回線交換サービスの機能を有しそれに登録されているが何らかの理由でＧＰＲＳ到達不能である場合にも起こりうる。しかし、その場合には、オプションとして、ＳＭＳメッセージが、サービングＳＧＳＮを介しての代わりに、サービングＧＳＭ  ＭＳＣを介して配送されることも可能である。
【００２０】
本発明のもう１つの特徴によれば、移動局へ呼配送が試みられたが配送できない場合（例えば、移動局がＧＰＲＳ専用またはパケット専用モードで登録をしたため、または、サービングネットワークが音声または回線交換呼またはサービスを配送する能力を有しないため）、ＩＩＦは、移動局へ配送するための配送失敗呼指示を生成することが可能である。ＩＩＦは、適当なテキストを含む移動機着信−ショートメッセージ転送（ＭＴ−ＦＳＭ：Mobile Terminating-Forward Short Message）メッセージを作成する。例えば、このメッセージは、配送失敗呼と、被呼者にとって有用な発呼者番号、発呼者名、またはその他の同様の情報について言及することが可能である。このメッセージは、他のＳＭＳメッセージと同様に配送される。なお、ＧＳＭ  ＨＬＲにおいて、または、ＧＳＭ  ＨＬＲによって検出される「加入者到達不能」条件により加入者が呼を受けそこなった場合に、ＧＳＭ  ＨＬＲが加入者へのそのようなＳＭＳメッセージを生成することも可能である。
【００２１】
【発明の実施の形態】
本発明の特徴に従って構成される電気通信システムは、さまざまな実施例において、音声信号、データ、ビデオ、およびその他の任意の内容を伝える通信を提供することが可能である。以下、「呼」という用語は、本明細書において、複数の加入者端末（またはその他のエンドポイント）の間での、電気通信システムまたはネットワークを介しての情報転送のセッションを指すために用いられる。「呼」という用語は、概して、媒体あるいは内容にかかわらず、また、通信が回線型、コネクション型、またはセッション型であるかどうかにかかわらず、任意の呼、サービス、コネクション、セッション、パケット、もしくはデータグラム、またはこれらの任意の関連づけられたグループあるいはストリームを指すことを意図している。したがって、「呼」という用語は、従来の回線交換音声呼、パケット音声呼、回線交換データ呼、コネクションレス呼、またはパケットデータ呼、およびそれらのマルチメディア版を含むことを意図しているが、これらには限定されない。
【００２２】
本発明は、電気通信システムに関し、これはマルチメディア電気通信システムを含む。本発明のシステムは、アナログ電子システム、ディジタル電子システム、マイクロプロセッサおよびその他の処理要素、ならびに、このようなシステムおよび処理要素とともに方法、プロセス、またはポリシーを実行するためのソフトウェアおよびその他のステップ、命令などの実装された集まり、を含むさまざまな電子技術および光技術を用いて実現可能であるが、これらには限定されない。ここに記載する実施例は例示である。したがって、理解されるように、実施例は特定の技術に関して記述されるが、本発明の技術思想を保持しつつ、他の等価な技術を用いてシステムを実現することも可能である。
【００２３】
理解されるように、電気通信技術において、さまざまなリード、バス、データパス、データ構造、チャネル、バッファ、およびその他の通信パスが、情報または信号を伝えるための設備、構造、または方法を実現するために使用可能であり、それらはしばしば機能的に等価である。したがって、特に断らない限り、信号あるいは情報を伝えるための装置あるいはデータ構造への言及は、すべての機能的に等価な装置およびデータ構造を一般的に指すことを意図している。
【００２４】
本発明の特徴によれば、サービングＧＳＭあるいはＧＰＲＳシステムと、ある一定の「ドメスティックワイヤレス」システムとのインターワーキングおよびインターオペラビリティを可能にする電気通信システムコンポーネントおよびそれとともに用いられる方法が提供される。本発明によれば、このようなドメスティックワイヤレスシステムをホームとするが、ＧＰＲＳ専用モードでサービングシステムに登録されている移動局は、サービングシステムからサービスを受けることが可能となる。「ドメスティックワイヤレス」（ＤＷ）という用語は、一般に北米で用いられているＴＤＭＡ、ＣＤＭＡ、およびアナログセルラシステムのＡＮＳＩまたはそれと同等の標準と互換性のある、あるいは他の同様のシステムと互換性のある、非ＧＳＭシステムを指すことを意図している。このシステムは、サービングＧＰＲＳネットワークとホームネットワークの間のインターワーキングおよびインターオペラビリティに必要な一定の機能およびサービスを提供する、ＧＰＲＳインターワーキング・インターオペラビリティ機能コンポーネント（以下、ＩＩＦという）を有する。
【００２５】
図３は、本発明により構成された、選択されたネットワーク要素を含む、第１実施例３００を示すブロック図である。ＧＳＭ・ＧＰＲＳサービングシステム３５０は、ドメスティックワイヤレス（ＤＷ）ホームシステム３５２に接続される。破線３５４は、２つのシステム３５０と３５２の間の境界を表す。サービングシステム３５０と互換性があるがＤＷホームシステム３５２をホームとする移動局（ＭＳ）３５６は、サービングシステム３５０のカバレジエリアに存在する。ＭＳ３５６は、無線リンク３５８を介して、サービングシステム３５０の無線機器３６０と通信する。この無線機器は、リンク３１０を介してＧＳＭ移動通信交換センタ（ＭＳＣ）３６２に、および、リンク３１２を介してＧＰＲＳのサービングＧＰＲＳサポートノード（ＳＧＳＮ）３６４に、接続される。ＭＳＣ３６２およびＳＧＳＮ３６４はそれぞれ、サービングシステム３５０の一部または同じ技術ファミリの他のシステムの一部であるような、１つ以上の対応する要素（図示せず）に接続されることが可能である。ＭＳＣ３６２およびＳＧＳＮ３６４は、ＧＳＭおよびＧＰＲＳ標準に準拠した適当なコンポーネントを用いて実現可能である。
【００２６】
図３において最もよく理解されるように、ＤＷホームシステム３５２は、ＧＰＲＳインターワーキング・インターオペラビリティ機能（ＧＰＲＳ  ＩＩＦ）３８０、ＧＳＭインターワーキング・インターオペラビリティ機能（ＧＳＭ  ＩＩＦ）３７０、ＡＮＳＩ／ＤＷホームロケーションレジスタ（ＨＬＲ）３７８、およびＤＷメッセージセンタ３８８を有する。ＡＮＳＩ／ＤＷ  ＨＬＲ３７８は、リンク３９４を介してＧＳＭ  ＩＩＦ３７０に、および、リンク３０２を介してＧＰＲＳ  ＩＩＦ３８０に、接続される。ＤＷメッセージセンタ３８８は、リンク３９６を介してＧＳＭ  ＩＩＦ３７０に、および、リンク３０８を介してＧＰＲＳ  ＩＩＦ３８０に、接続される。ＡＮＳＩ／ＤＷ  ＨＬＲ３７８とＤＷメッセージセンタ３８８は、リンク３９８を介して相互接続される。ＡＮＳＩ／ＤＷＨＬＲ３７８およびＤＷメッセージセンタ３８８は、ＤＷホームシステム３５２の標準に準拠した適当なコンポーネントを用いて実現可能である。ＡＮＳＩ／ＤＷ  ＨＬＲ３７８は、好ましくは、他のＭＳＣ／ＶＬＲとトラフィックを交換することが可能なように、リンク３９０を介して１つ以上の他のＭＳＣ／ＶＬＲ（図示せず）に接続される。ＤＷメッセージセンタ３８８は、好ましくは、他のメッセージセンタとトラフィックを交換することが可能なように、リンク３９２を介して１つ以上の他のメッセージセンタ（図示せず）に接続される。
【００２７】
ＧＰＲＳ  ＩＩＦ３８０は、ＧＰＲＳ  ＨＬＲの機能を提供し、または、その機能をエミュレートするとともに、他のＧＰＲＳ  ＨＬＲとは本質的に区別できないように、サービングＧＰＲＳ／ＧＳＭシステム３５０とインタフェースする、ＧＰＲＳ  ＨＬＲコンポーネント３８２を有する。ＧＰＲＳ  ＩＩＦ３８０はまた、通常のＳＭＳ−ＳＣの機能を提供し、またはエミュレートする、ＧＰＲＳショートメッセージサービス・サービスセンタ（ＳＭＳ−ＳＣ）コンポーネント３８４を有する。これに応じて、ＧＰＲＳ  ＨＬＲコンポーネント３８２は、リンク３０６を介してＳＧＳＮ３６４に接続され、ＧＰＲＳ  ＳＭＳ−ＳＣ３８４は、リンク３０８の続きを介してＳＧＳＮ３６４に接続される。ＧＰＲＳ  ＩＩＦ３８０はまた、ゲートウェイＧＰＲＳサポートノード（ＧＧＳＮ：Gateway GPRS Support Node）（図示せず）への標準のＧｃインタフェース（図示せず）を有することも可能である。
【００２８】
ＧＰＲＳ  ＩＩＦ３８０はさらに、ＡＮＳＩ／ＤＷ  ＭＳＣ／ＶＬＲの機能を提供し、またはその機能をエミュレートするとともに、他のＡＮＳＩ／ＤＷ  ＭＳＣ／ＶＬＲとは本質的に区別できないように、ホームＡＮＳＩ／ＤＷシステム３５２とインタフェースする、ＡＮＳＩ／ＤＷ移動通信交換センタ／在圏ロケーションレジスタ（ＭＳＣ／ＶＬＲ）コンポーネント３８６を有する。ＧＰＲＳ  ＩＩＦ３８０の上記のコンポーネントはさらに、ＡＮＳＩ／ＤＷシステムのメッセージを、ＧＳＭ／ＧＰＲＳシステムの機能的に等価なメッセージに、およびその逆に翻訳するとともに、システム間の翻訳を実行するために必要に応じて状態情報を管理する設備を有する。
【００２９】
ＧＳＭ  ＩＩＦ３７０は、ＧＳＭ  ＨＬＲの機能を提供し、または、その機能をエミュレートするとともに、他のＧＳＭ  ＨＬＲとは本質的に区別できないように、サービングＧＳＭ／ＧＰＲＳシステム３５０とインタフェースする、ＧＳＭ  ＨＬＲコンポーネント３７２を有する。ＧＳＭ  ＩＩＦ３７０はまた、通常のＳＭＳ−ＳＣの機能を提供し、またはエミュレートする、ＧＳＭショートメッセージサービス・サービスセンタ（ＳＭＳ−ＳＣ）コンポーネント３７４を有する。これに応じて、ＧＳＭ  ＨＬＲコンポーネント３７２は、リンク３０４を介してＭＳＣ３６２に接続され、ＧＳＭ  ＳＭＳ−ＳＣ３７４は、リンク３９６の続きを介してＭＳＣ３６２に接続される。ＧＳＭ  ＩＩＦ３７０はさらに、ＡＮＳＩ／ＤＷ  ＭＳＣ／ＶＬＲの機能を提供し、またはその機能をエミュレートするとともに、他のＡＮＳＩ／ＤＷ  ＭＳＣ／ＶＬＲとは本質的に区別できないように、ホームＡＮＳＩ／ＤＷシステム３５２とインタフェースする、ＡＮＳＩ／ＤＷ移動通信交換センタ／在圏ロケーションレジスタ（ＭＳＣ／ＶＬＲ）コンポーネント３７６を有する。ＧＳＭ  ＩＩＦ３７０の上記のコンポーネントはさらに、ＡＮＳＩ／ＤＷシステムのメッセージを、ＧＳＭ／ＧＰＲＳシステムの機能的に等価なメッセージに、およびその逆に翻訳するとともに、システム間の翻訳を実行するために必要に応じて状態情報を管理する設備を有する。
【００３０】
ＧＰＲＳ  ＩＩＦ３８０は、好ましくは、ＧＳＭ  ＩＩＦ３７０と協調して動作し、いくつかの実施例では、ＧＰＲＳ  ＩＩＦ３８０およびＧＳＭ  ＩＩＦ３７０の機能は、結合ＩＩＦ３６８として図示されているように、単一のＩＩＦユニットに統合あるいは結合されることが可能である。
【００３１】
実施例３００（前述）および４００（後述）に関して、移動局３５６は、サービングシステム３５０あるいはホームシステム３５２において、登録のさまざまな状態を占めることが可能である。移動局の初期登録状態と、移動局３５６がその登録状態に対してなす変更とは、その後の登録、呼配送、およびメッセージ配送が実行される態様に影響を及ぼすことがある。以下の説明では、４つの具体的な初期登録状態のシナリオのそれぞれについて、登録、呼配送、およびメッセージ配送を実行するのに必要なメッセージフローおよび関連するステップを考える。
【００３２】
第１のシナリオでは、ＤＷネイティブのＭＳ３５６はアイドル状態であり、どのネットワークにも登録されていない。ＭＳがＧＰＲＳネットワーク３５０（より正確には、そのＳＧＳＮ３６４）に登録をするとき、ＧＰＲＳ位置更新が実行され、ＧＰＲＳ  ＨＬＲをエミュレートするＩＩＦコンポーネント３８２に送られなければならない。その場合、ＧＰＲＳ  ＩＩＦ３８０は、ＭＳ３５６がちょうどＧＳＭ  ＭＳＣ／ＶＬＲに登録をしたかのように装い、ＤＷ／ＡＮＳＩ−４１  ＲＥＧＮＯＴをＤＷ／ＡＮＳＩ−４１  ＨＬＲ３７８（これは、ＩＩＦアドレスをＭＳＣ／ＶＬＲおよびＶＬＲアドレスとして記録する）に送る。
【００３３】
その後、呼配送アテンプトの結果、ＤＷ／ＡＮＳＩ−４１  ＨＬＲ３７８は、（ＡＮＳＩ−４１ネットワークにおけるＭＳＣ／ＶＬＲのように作用する）ＧＰＲＳ  ＩＩＦ３８０に問合せを行う。ＧＰＲＳ  ＩＩＦ３８０は、ＭＳがＧＰＲＳ専用でアタッチされていることを検出し、したがって「到達不能」型の指示で応答し、二次的な処理（例えば、アナウンスが再生されるか、あるいは、呼が転送される）が行われることになる。その時点で、ＩＩＦは、加入者が呼を受けそこなったことを示すとともに、その呼の発信者の発呼者番号を示す、ＧＰＲＳ専用ＭＳへのＳＭＳメッセージを生成することも可能である。
【００３４】
加入者宛のすべての到来するＳＭＳメッセージは、加入者がＧＰＲＳアタッチされている場合にＧＳＭフォーマットに変換するために、ＡＮＳＩ−４１  ＭＣ３８８によってＧＰＲＳ  ＩＩＦ３８０に送られる。メッセージセンタ３８８は、ＤＷ／ＡＮＳＩ−４１  ＨＬＲ３７８に問合せを行い、ＤＷ／ＡＮＳＩ−４１ＨＬＲ３７８は、ＭＣ３８８に対して、「ショートメッセージ配送ポイントツーポイント」（ＳＭＤＰＰ：Short Message Delivery Point-to-Point）メッセージをＧＰＲＳ  ＩＩＦ３８０に送るよう通知する（これは、ＤＷ／ＡＮＳＩ−４１  ＨＬＲ３７８は、ＭＳがＭＳＣ／ＶＬＲに登録されているかのように動作するためである）。次に、ＧＰＲＳ  ＩＩＦ３８０は、ＧＳＭフォーマットＳＭＳメッセージ（ＦＳＭ：formatted SMS message）をＳＧＳＮ３６４に送る（これは、ＭＳがパケット専用で登録されているためである）。ＭＳが後でＴＤＭＡＭＳＣ／ＶＬＲに登録をする場合、そのＭＳＣ／ＶＬＲはＲＥＧＮＯＴをＤＷ／ＡＮＳＩ−４１  ＨＬＲ３７８に送ることになる。その場合、ＤＷ／ＡＮＳＩ−４１  ＨＬＲ３７８は、ＲＥＧＣＡＮＣをＧＰＲＳ  ＩＩＦ３８０に送り、ＧＰＲＳ  ＩＩＦ３８０は、Cancel LocationをＳＧＳＮ３６４に（ＧＰＲＳアタッチの場合）送ることになる。
【００３５】
第２のシナリオでは、ＤＷネイティブのＭＳ３５６は現在、ＭＳＣ／ＶＬＲ３６２のようなＧＳＭ  ＭＳＣ／ＶＬＲに登録されている。ＭＳがＧＰＲＳネットワーク３５０（ＳＧＳＮ３６４）に登録をするとき、ＧＰＲＳ位置更新が実行され、ＧＰＲＳ  ＨＬＲをエミュレートするＩＩＦコンポーネント３８２に送られる。ＤＷ／ＡＮＳＩ−４１  ＨＬＲ３７８はすでにＭＳＣ／ＶＬＲおよびＶＬＲアドレスとしてＩＩＦアドレスを有するため、ＩＩＦ３６８は、ＭＳがちょうどＧＳＭ  ＭＳＣ／ＶＬＲに登録をしたところであるように装う必要はない。
【００３６】
その後、呼配送アテンプトの結果、ＤＷ／ＡＮＳＩ−４１  ＨＬＲ３７８は、ＩＩＦ３６８に問合せを行い、ＩＩＦ３６８は、ＤＷ／ＡＮＳＩ−４１ネットワークにおけるＭＳＣ／ＶＬＲのように作用する。ＩＩＦ３６８は、カスタマがＧＳＭ回線交換アタッチされているとともにＧＰＲＳアタッチされていることを検出し、ＧＡＩＴ標準仕様で通常行われるように、ＧＳＭ  ＭＳＣ／ＶＬＲ３６２に問合せを行う。ＭＳ３５６が、到達不能指示により呼を受けそこなった場合（これは、ＩＩＦ３６８でそのように識別された場合か、または、ＧＳＭ  ＭＳＣ／ＶＬＲ３６２が、ＰＲＮエラー｛不在加入者｝（PRN error{absent subscriber}）メッセージで応答した場合に起こりうる）、ＩＩＦ３６８は、加入者が呼を受けそこなったことを示すとともに、その呼の発信者の発呼者番号を示す、ＳＭＳメッセージを生成することも可能である。ＩＩＦ３６８は、配送のために、ＳＧＳＮ３６４またはＭＳＣ／ＶＬＲ３６２のいずれを介してＳＭＳメッセージを送信すべきかを判断する。
【００３７】
加入者宛のすべての到来するＳＭＳメッセージは、ＧＳＭフォーマットに変換するために、ＤＷ／ＡＮＳＩ−４１  ＭＣ３８８によってＩＩＦ３６８に送られる。メッセージセンタ３８８は、ＤＷ／ＡＮＳＩ−４１  ＨＬＲ３７８に問合せを行い、ＤＷ／ＡＮＳＩ−４１  ＨＬＲ３７８は、ＭＣ３８８に対して、ＳＭＤＰＰメッセージをＩＩＦ３６８に送るよう通知する。（ＤＷ／ＡＮＳＩ−４１  ＨＬＲは、ＭＳ３５６がＭＳＣ／ＶＬＲに登録されているかのように動作する。）次に、ＩＩＦは、ＧＳＭフォーマットＳＭＳメッセージ（ＦＳＭ）をＳＧＳＮまたはＭＳＣ／ＶＬＲのいずれに送るかを判断する。ＭＳ３５６は、ＧＳＭ  ＭＳＣ／ＶＬＲ３６２およびＧＰＲＳ  ＳＧＳＮ３６４の両方に登録されているため、ＩＩＦは、ＳＭＳメッセージの送り先のエンティティを制御する適当な優先度を決定する。例えば、ＧＰＲＳ  ＳＧＳＮ３６４が最高の優先度を有し、ＧＳＭ  ＭＳＣ／ＶＬＲ３６２が次の優先度を有することが可能である。この優先度は、ＭＳが一方のノードに到達不能であることをＩＩＦが検出したかどうかに依存してオーバーライド（無効化）されることも可能である。ＭＳ３５６が後でＴＤＭＡ  ＭＳＣ／ＶＬＲに登録をする場合、そのＭＳＣ／ＶＬＲはＲＥＧＮＯＴメッセージをＤＷ／ＡＮＳＩ−４１  ＨＬＲ３７８に送ることになる。その場合、ＤＷ／ＡＮＳＩ−４１  ＨＬＲ３７８は、ＲＥＧＣＡＮＣメッセージをＩＩＦ３６８に送り、ＩＩＦ３６８は、ロケーション取消し(Cancel Location)メッセージをＳＧＳＮ３６４に（ＧＰＲＳアタッチの場合）送ることになる。
【００３８】
第３のシナリオでは、ＤＷネイティブのＭＳ３５６は現在、ＭＳＣ／ＶＬＲ３６２のようなＧＳＭ  ＭＳＣ／ＶＬＲと、ＳＧＳＮ３６４のようなＧＰＲＳ  ＳＧＳＮの両方に登録されている。移動局３５６がＧＳＭ専用デタッチ(detach)を実行した場合、ＩＩＦ３６８（これは、ＧＳＭ  ＨＬＲをエミュレートしている）には通知されない。このため、ＩＩＦ３６８およびＤＷ／ＡＮＳＩ−４１  ＨＬＲ３７８は、ＭＳ３５６がＩＩＦ３６８のＤＷ／ＡＮＳＩ−４１  ＭＳＣ／ＶＬＲエミュレーティングコンポーネント３７６に登録されているかのように動作し続ける。しかし、ＧＳＭ  ＭＳＣ／ＶＬＲ３６２が、MS-PurgedをＩＩＦ３６８のＧＳＭ  ＨＬＲエミュレーティングコンポーネント３７２に送った場合、ＩＩＦ３６８は、記憶されている回線交換プロファイルデータを削除することになる。さらに、ＩＩＦ３６８は、ＡＮＳＩ−４１  MS-InactiveメッセージをＤＷ／ＡＮＳＩ−４１  ＨＬＲ３７８に送らない。その理由は、ＨＬＲ３７８は、ＭＳが現在ＧＳＭ  ＭＳＣ／ＶＬＲに登録されているかのように動作し続けなければならないからである。ＭＳ３５６が後で同一のまたは異なるＧＳＭ  ＭＳＣ／ＶＬＲに登録をする場合、ＩＩＦ３６８は、プロファイル情報を取得するためにそのＨＬＲにＲＥＧＮＯＴメッセージを送ることが必要となる。ＭＳが後でＴＤＭＡ  ＭＳＣ／ＶＬＲに登録をする場合、そのＭＳＣ／ＶＬＲはＲＥＧＮＯＴメッセージをＤＷ／ＡＮＳＩ−４１  ＨＬＲ３７８に送り、ＤＷ／ＡＮＳＩ−４１ＨＬＲ３７８は、ＲＥＧＣＡＮＣメッセージをＩＩＦ３６８に送る。そして、ＩＩＦ３６８は、ロケーション取消し(Cancel Location)メッセージを、ＧＳＭＭＳＣ／ＶＬＲ３６２に（ＣＳアタッチの場合）、あるいはＳＧＳＮ３６４に（ＧＰＲＳアタッチの場合）、送ることになる。
【００３９】
第４のシナリオでは、ＤＷ／ＡＮＳＩ−４１ネイティブのＭＳ３５６はアイドル状態であり、現在ＤＷ／ＴＤＭＡ  ＭＳＣ／ＶＬＲに登録されている。このシナリオの登録部分を実行するために必要なメッセージ交換は、以下で図５に関して詳細に説明する。この場合、ＭＳ３５６は、ＧＰＲＳネットワーク３５０（ＳＧＳＮ３６４）に登録を行い、ＧＰＲＳ位置更新が実行され、ＧＰＲＳ  ＩＩＦ３８０のＧＰＲＳ  ＨＬＲエミュレーティングコンポーネント３８２に送られる。その場合、ＧＰＲＳ  ＩＩＦ３８０は、ＭＳ３５６がちょうどＧＳＭ  ＭＳＣ／ＶＬＲに登録をしたかのように装う。ＧＰＲＳ  ＩＩＦ３８０は、ＤＷ／ＡＮＳＩ−４１  ＲＥＧＮＯＴメッセージをＤＷ／ＡＮＳＩ−４１  ＨＬＲ３７８に送る。ＤＷ／ＡＮＳＩ−４１  ＨＬＲ３７８は、ＧＰＲＳ  ＩＩＦ３８０のアドレスを、ＭＳＣ／ＶＬＲおよびＶＬＲアドレスとして記録する。
【００４０】
その後、呼配送アテンプトの結果、ＤＷ／ＡＮＳＩ−４１  ＨＬＲ３７８は、ＧＰＲＳ  ＩＩＦ３８０のＤＷ／ＡＮＳＩ−４１  ＭＳＣ／ＶＬＲエミュレーティングコンポーネント３８６に問合せを行う。ＧＰＲＳ  ＩＩＦ３８０は、ＭＳがＧＰＲＳ専用でアタッチされていることを検出し、したがって「到達不能」型の指示で応答する。その結果、二次的な処理（例えば、アナウンスが再生されるか、あるいは、呼が転送される）が適用されることになる。その時点で、ＧＰＲＳ  ＩＩＦ３８０は、加入者が呼を受けそこなったことを示すとともに、その呼の発信者の発呼者番号を示す、ＧＰＲＳ専用ＭＳへのＳＭＳメッセージを生成することも可能である。
【００４１】
加入者宛のすべての到来するＳＭＳメッセージは、加入者がＧＰＲＳアタッチされている場合にＧＳＭフォーマットに変換するために、ＤＷ／ＡＮＳＩ−４１ＭＣ３８８によってＧＰＲＳ  ＩＩＦ３８０に送られる。メッセージセンタ３８８は、ＤＷ／ＡＮＳＩ−４１  ＨＬＲ３７８に問合せを行い、ＤＷ／ＡＮＳＩ−４１  ＨＬＲ３７８は、ＭＣ３８８に対して、ＳＭＤＰＰメッセージをＧＰＲＳ  ＩＩＦ３８０に送るよう通知する。（ＤＷ／ＡＮＳＩ−４１  ＨＬＲ３７８は、ＭＳ３５６がＭＳＣ／ＶＬＲに登録されているかのように動作し続ける。）ＭＳ３５６はパケット専用で登録されているため、ＧＰＲＳ  ＩＩＦ３８０は、ＧＳＭフォーマットＳＭＳメッセージ（ＦＳＭ）をＳＧＳＮ３６４に送信する。ＭＳが後でＴＤＭＡ  ＭＳＣ／ＶＬＲに登録をする場合、そのＭＳＣ／ＶＬＲはＲＥＧＮＯＴメッセージをＤＷ／ＡＮＳＩ−４１  ＨＬＲ３７８に送ることになる。ＤＷ／ＡＮＳＩ−４１  ＨＬＲは、ＲＥＧＣＡＮＣメッセージをＧＰＲＳ  ＩＩＦ３８０に送り、ＧＰＲＳ  ＩＩＦ３８０は、ロケーション取消し(Cancel Location)メッセージをＳＧＳＮ３６４に（ＧＰＲＳアタッチの場合）送る。
【００４２】
図５に、移動局が、前にＤＷ／ＡＮＳＩ−４１ネットワークに登録をしており、その後でＧＰＲＳ専用サービスを要求するときのメッセージフローを示す。ＡＮＳＩ−１３６またはその他のＤＷネイティブのＭＳが、前にＤＷ／ＡＮＳＩ−４１ネットワークに登録をした後で、ＧＰＲＳ専用サービスを要求するとき、ＭＳは、そのＩＭＳＩを用いて、ＧＰＲＳ位置更新を実行する。この場合、ＩＩＦは、ＧＰＲＳおよびＧＳＭ  ＨＬＲ／認証センタ（ＡｕＣ：Authorization Center）およびＤＷ／ＡＮＳＩ−４１  ＶＬＲの両方をエミュレートする。加入者のＤＷ／ＡＮＳＩ−４１  ＨＬＲの視点から見ると、この状況は、加入者が別のＡＮＳＩ−１３６  ＭＳＣ／ＶＬＲに登録される状況と区別することができない。
【００４３】
ステップ５１０で、ＭＳ３５６が起動し、ＧＳＭネットワークにおいてＧＰＲＳアタッチ(GPRS Attach)５６０を実行する。ステップ５１２で、サービングＧＰＲＳサポートノード（ＳＧＳＮ）３６４は、認証を実行するための認証情報（認証トリプレット）を有しない場合、ＧＰＲＳ  ＩＩＦ３８０に認証情報を要求する（メッセージ５６２）。ＩＩＦは、この場合、ＧＳＭ  ＨＬＲ／ＡｕＣをエミュレートする。ステップ５１４で、ＧＰＲＳ  ＩＩＦ３８０は、必要な認証情報を返す（メッセージ５６４）。ステップ５１６で、ＳＧＳＮ３６４は、ＭＳ３５６へ向けて認証を開始する（メッセージ５６６）。
【００４４】
ステップ５１８で、ＭＳ３５６は、認証要求に応答する（メッセージ５６８）。ステップ５２０で、ＳＧＳＮ３６４は、ＧＰＲＳ  ＩＩＦ３８０に向けてＧＰＲＳ位置更新を開始する。位置更新要求(Update Location Request)メッセージ５７０は、ＩＭＳＩを含む。ステップ５２２で、ＧＰＲＳ  ＩＩＦ３８０は、ＧＰＲＳサービス要求に権限があるかどうかを確認する。ＤＷ／ＡＮＳＩ−４１  ＨＬＲも、サービスに権限を付与することができる。ＧＰＲＳ  ＩＩＦ３８０は、ＴＤＭＡ  ＭＳＣ／ＶＬＲ５０２から加入者の対応する回線交換サービス登録を削除するために、ＤＷ／ＡＮＳＩ−４１  ＶＬＲをエミュレートし、ＤＷ／ＡＮＳＩ−４１  ＨＬＲ３７８へＲＥＧＮＯＴ  ＩＮＶＯＫＥメッセージ５７２を発行する。必要であれば、位置更新要求内の加入者ＩＭＳＩが対応するＭＩＮにマッピングされる。
【００４５】
ステップ５２４で、ＨＬＲ３７８は、その位置情報を更新し、ＲＥＧＣＡＮＣ（ＲＥＧＣＡＮ）メッセージ５７４を前のＶＬＲ５０２に送ることによって、前のＶＬＲレコードを削除する。ステップ５２６で、ＶＬＲは、メッセージ５７６で、ＲＥＧＣＡＮＣに対して確認応答する。ステップ５２８で、ＨＬＲ３７８は、ｒｅｇｎｏｔ確認メッセージ５７８を返す。通常、ＧＰＲＳ  ＩＩＦ３８０は、ｒｅｇｎｏｔ確認メッセージ５７８で受信されるプロファイルデータを記憶することを必要としない。その理由は、ＭＳがＧＰＲＳアタッチされているだけである（そして、プロファイルは回線交換固有のものである）からである。しかし、ＡＮＳＩ−４１  ＨＬＲからの一部のＳＭＳ固有のプロビジョニングされたデータがＧＰＲＳ  ＳＭＳのために用いられることになっている場合、または、後でＧＳＭ  ＩＩＦが使用するためにデータを記憶しておきたい場合（例えば、加入者がＭＳＣに登録をする場合）、ＩＩＦ３６８はプロファイルデータを記憶することも可能である。
【００４６】
ステップ５３０で、（ＧＰＲＳ  ＨＬＲをエミュレートする）ＧＰＲＳ  ＩＩＦ３８０は、ＳＧＳＮ３６４に向けて、ＧＳＭ  ＭＡＰ加入者データ挿入(ＩＳＤ：Insert Subscriber Data)メッセージ５８０を送る。この手続きは、加入者データをＳＧＳＮ３６４にダウンロードするために用いられる。ＳＧＳＮへの加入者データの転送を完了するために、複数の加入者データ挿入トランザクションが必要となることもある。ステップ５３２で、ＳＧＳＮ３６４は、メッセージ５８２を用いて、ＩＳＤオペレーションに対して確認応答する。ステップ５３４で、ＧＰＲＳ  ＩＩＦ３８０が加入者データ挿入オペレーションに対する確認応答を受信した後、ＧＰＲＳ  ＩＩＦ３８０は、ＧＰＲＳ位置更新要求に対する確認メッセージ５８４を返す。ステップ５３６で、ＳＧＳＮ３６４は、メッセージ５８６を用いて、ＧＰＲＳアタッチ要求に対して確認応答する。
【００４７】
本発明のもう１つの特徴によれば、サービングＧＰＲＳネットワークを通じて移動局にＳＭＳ型メッセージが着信することを可能にする、電気通信システムコンポーネントおよびそれとともに用いられる方法が提供される。本発明によれば、移動局は、異なる技術ファミリまたはプロトコルのネットワークをホームとし、移動局は、ＧＰＲＳ専用またはパケット専用モードで登録される。移動局のための呼配送またはＳＭＳ配送アテンプトが、ＤＷ  ＨＬＲへの問合せを引き起こした場合、ＤＷ  ＨＬＲは、前に登録手続き中にＩＩＦから受け取った、ＳＧＳＮに対応するＧＰＲＳ  ＩＩＦ／ＭＳＣ／ＶＬＲのアドレスを、ＭＳＣ識別子として提供する。呼配送、ＳＭＳ配送、またはメッセージ待機通知に関して、この移動局に関連する、ＭＳＣ／ＶＬＲ宛の将来のすべてのメッセージは、ＤＷ  ＭＳＣ／ＶＬＲをエミュレートするＩＩＦにルーティングされる。このようなメッセージは、適当な場合には（例えば、ＳＭＳメッセージまたはメッセージ待機通知の場合）、ＭＳにサービスを提供するＳＧＳＮに送信される。ＧＰＲＳ  ＩＩＦ自体が、一部のこのようなメッセージを生成または翻訳することも可能である。
【００４８】
図６は、ＤＷ／ＡＮＳＩホーム移動局がＧＰＲＳ専用モードで登録した場合に、ＤＷ／ＡＮＳＩメッセージセンタによって受信されたメッセージをその移動局へ配送するために、図３および図４のそれぞれの実施例３００および４００とともに用いられるメッセージ生成・伝達ステップを示すメッセージフロー図である。ステップ６１０で、ＤＷ／ＡＮＳＩ−４１メッセージセンタ（ＭＣ）３８８は、引数として移動局のＭＩＮ（ＭＳＩＳＤＮ）とＳＭＳ通知インジケータ(Notification Indicator)を含むＳＭＳ要求起動(SMSRequest Invoke)メッセージ（ＳＭＳＲＥＱ）６６０をＨＬＲ３７８へ送信する。ステップ６１２で、ＨＬＲ３７８は、メッセージがＭＳへ転送されるべきかどうかを判断し、SMS_Address（ＳＭＳアドレス）をＩＩＦアドレスにセットして（これはポイントコードまたはＥ．１６４アドレスとすることが可能である）、ＳＭＳ要求結果返信(SMSRequest Return Result)メッセージ（ｓｍｓｒｅｑ）６６２で、ＭＣ３８８へ応答を送信する。
【００４９】
ステップ６１４で、ＭＣ３８８は、ショートメッセージ配送ポイントツーポイント（ＳＭＤＰＰ）メッセージ６６４を作成し、それをＧＰＲＳ  ＩＩＦ３８０へ送信する。オプションとして、このメッセージは、ＳＭＤＰＰメッセージ内にカプセル化されたＧＳＭホストＳＭＳテレサービス（ＧＨＯＳＴ：GSM-Hosted SMS Teleservice）メッセージの形をとることも可能である。ステップ６１６で、ＧＰＲＳ  ＩＩＦ３８０は、ショートメッセージ転送（ＦＳＭ：FORWARD SHORT MESSAGE）６６６を作成する。メッセージがＧＨＯＳＴフォーマットであった場合、ＧＰＲＳ  ＩＩＦ３８０はＧＨＯＳＴカプセル化をはぎ取る。ＩＩＦは、第１の選択肢として、ＦＳＭ６６６をＳＧＳＮ３６４へルーティングする。
【００５０】
別法として、ＧＰＲＳ  ＩＩＦ３８０は、ＦＳＭ６６６をＧＳＭ  ＭＳＣへ送ることも可能である。一部のシステムでは、ＨＬＲは、移動局または加入権に対応する、加入者の制御下で有効化されることが可能な「移動機到達不能」フラグを管理していることがある。そのフラグがセットされている場合、ＧＳＭ  ＭＳＣへのＦＳＭ６６６の送信は抑制されることになる。
【００５１】
次のステップ（図示せず）で、ＳＧＳＮ３６４は、ＦＳＭメッセージ６６６で受信した情報（ＧＳＭ  ＳＭＳ  ＲＰデータと呼ばれる）をＣＰ−ＤＡＴＡメッセージ内に入れ、ＧＳＭ無線インタフェースを通じてそれを移動局へ配送する。移動局は、ＣＰ−ＤＡＴＡおよびＲＰ−ＤＡＴＡメッセージの受信に対して、それぞれＣＰ−ＡＣＫおよびＣＰ−ＡＣＫ［ＲＰ−ＡＣＫ］を介して確認応答する。ステップ６１８で、移動局からのＲＰ−ＡＣＫメッセージの受信に成功すると、ＳＧＳＮ３６４は、ショートメッセージ転送確認(Forward Short Message)６６８をＧＰＲＳ  ＩＩＦ３８０に返送する。ステップ６２０で、ＧＰＲＳ  ＩＩＦ３８０は、受信したショートメッセージ転送確認を、ＳＭＤＰＰ結果返信(Return Result)メッセージ（ｓｍｄｐｐ［ＡＣＫ］）６７０にマッピングし、それをＭＣ３８８に送る。
【００５２】
本発明のもう１つの特徴によれば、サービング電気通信システムは、上記のようにＳＭＳメッセージとして移動局へ伝達されるメッセージ、指示、またはイベントを生成することが可能である。例えば、移動局へ呼を配送しようとして失敗した結果として、移動局宛のメッセージが生成される。メッセージは、待機中のボイスメールメッセージがあることを示すため、または、移動局への呼の試みが失敗したことを示すために、移動局へ送信されることが可能である。場合によっては、メッセージ、指示、またはイベントは、移動機によって特別な機能に使用されるために、または、ユーザに対して表示するために、例えば、ＩＩＦ／ＭＳＣ／ＶＬＲによって、ＤＷサービングシステムのフォーマットから、適当なＳＭＳメッセージに翻訳されなければならない。
【００５３】
図４は、システム間のインターワーキングおよびインターオペラビリティのための、本発明の特徴に従って構成された第２実施例４００を示す、ブロック図とメッセージフロー図の結合図である。この図はさらに、ＤＷ／ＡＮＳＩホーム移動局が最初にＧＰＲＳ専用モードで登録されているときに、この移動局へ試みられた呼配送を処理するために、実施例４００とともに用いられるメッセージ生成・伝達ステップを示す。図４の実施例４００は、図３の実施例３００と非常に類似しているが、実施例４００では、ＧＳＭおよびＧＰＲＳの両方のための単一の結合したインターワーキング・インターオペラビリティ機能４６８が提供される。
【００５４】
図４において最もよく理解されるように、ＤＷ／ＡＮＳＩ  ＭＳＣ／ＶＬＲ５０２に到着する音声あるいは回線交換呼は、アドレスメッセージ（ＩＡＭ：initial address message）４２０で、呼が移動局３５６宛であることを示すことがある。ＭＳ３５６がＧＰＲＳ専用またはパケット専用モードで登録されている場合、この呼は移動機に配送されることができない。このため、呼は、ＤＷホームネットワークに位置するボイスメール（音声メッセージ）システム４５０へ転送されるというような、適当な処理を受ける。（ＩＡＭメッセージ転送４３２参照。）メッセージ４２２〜４３０は、従来のＡＮＳＩ−４１呼配送メッセージである。
【００５５】
発呼者がボイスメールメッセージを残すことを選択した場合、ボイスメールシステム４５０は、独自のインタフェースを用いて、サービングＤＷシステムのＨＬＲ３７８に、メッセージ待機状態について通知することが可能である。ＤＷ  ＨＬＲ３７８は、好ましくは、メッセージ待機指示（ＭＷＮ：message waiting indication）を含む許可指令（ＱｕａｌＤｉｒ）メッセージ４３６を（ＤＷプロトコルで）ＧＳＭ／ＧＰＲＳシステムのＩＩＦ／ＭＳＣ／ＶＬＲ４６８、３８６、３７６に送信する。ＩＩＦ４６８は、移動局３５６による使用のために、このメッセージを、メッセージ待機指示を含む適当なＳＭＳメッセージ４４２に翻訳する。ＩＩＦ４６８は、このメッセージ４４２をサービングＳＧＳＮ３６４に送信し、サービングＳＧＳＮ３６４は、それをＧＳＭ移動局３５６へ伝達する。同様のプロセスは、移動局３５６が音声または回線交換サービスの機能を有しそれに登録されているが何らかの理由で到達不能である場合にも起こりうる。しかし、その場合には、オプションとして、ＳＭＳメッセージ４３８が、サービングＳＧＳＮ３６４を介しての代わりに、サービングＧＳＭ  ＭＳＣ３６２を介して配送されることも可能である。
【００５６】
本発明のもう１つの特徴によれば、移動局３５６へ呼配送が試みられたが配送できない場合（例えば、移動局がＧＰＲＳ専用またはパケット専用モードで登録をしたため、または、サービングネットワークが音声または回線交換呼またはサービスを配送する能力を有しないため）、ＩＩＦ４６８は、移動局３５６へ配送するための配送失敗呼指示を生成することが可能である。ＩＩＦ４６８は、適当なテキストを含む移動機着信−ショートメッセージ転送（ＭＴ−ＦＳＭ）メッセージ４２６を作成する。例えば、このメッセージは、配送失敗呼と、被呼者にとって有用な発呼者番号、発呼者名、またはその他の同様の情報について言及することが可能である。このメッセージは、他のＳＭＳメッセージと同様に、一般には図４に示したように、また、具体的には図７に示すように、配送される。なお、ＧＳＭ  ＨＬＲにおいて、または、ＧＳＭ  ＨＬＲによって検出される「加入者到達不能」条件により加入者が呼を受けそこなった場合に、ＧＳＭ  ＨＬＲが加入者へのそのようなＳＭＳメッセージを生成することも可能である。
【００５７】
図７は、ＧＰＲＳ専用サービスのためにアタッチされたＤＷ／ＡＮＳＩホーム移動局へ、その移動局宛の呼の配送に失敗したことの指示を生成し配送するために、図３および図４のそれぞれの実施例３００および４００とともに用いられるメッセージフローおよび関連するメッセージ生成・伝達ステップを示す図である。ＩＩＦ４６８はすでに、自分自身を（ＡＮＳＩ−４１  ＭＳＣ／ＶＬＲとして）ＡＮＳＩ−４１  ＨＬＲ３７８に登録している。加入者はＧＰＲＳ専用サービスのためにアタッチされているため、到来する呼は加入者へ配送可能でない。
【００５８】
ステップ７１０で、ＤＷ／ＡＮＳＩ  ＭＳＣ／ＶＬＲ５０２は、ＭＳ３５６に対する入呼７６０を受け取る。ＭＳ３５６は、ＧＳＭネットワーク内をローミングしている。ステップ７１２で、ＤＷ／ＡＮＳＩ  ＭＳＣ／ＶＬＲ５０２は、ＬＯＣＲＥＣメッセージ７６２をＤＷ／ＡＮＳＩ  ＨＬＲ３７８に送る。ステップ７１４で、ＨＬＲ３７８は、（ＡＮＳＩ−４１  ＭＳＣ／ＶＬＲとして作用する）ＧＰＲＳ  ＩＩＦ３８０のアドレスを有し、ＲＯＵＴＥＲＥＱメッセージ７６４をＧＰＲＳ  ＩＩＦ３８０に送る。
【００５９】
ステップ７１６で、ＩＩＦ４６８は、アドレスされた局が、ＧＳＭネットワーク内をローミングしているＧＡＩＴ加入者であることを認識する。ＩＩＦは、その動的データから、ＭＳはＧＰＲＳ専用サービスのためにアタッチされていることを知るため、呼配送をすることができない。ＩＩＦ４６８は、フィールド「AccessDeniedReason」（アクセス拒否理由）を「No Page Response」（ページ応答なし）にセットして、ｒｏｕｔｅｒｅｑメッセージ７６６を送信する。他のエラーまたは理由コードも使用可能である。ステップ７１８で、ＨＬＲ３７８は、ｌｏｃｒｅｑメッセージ７６８をＤＷ／ＡＮＳＩ  ＭＳＣ／ＶＬＲ５０２に返す。この時点で、発呼者は、二次的処理を受けることが可能である。
【００６０】
ＩＩＦ４６８は、ＧＳＭ  ＳＭＳ−ＳＣとして作用する機能を含む。この場合、ＩＩＦ４６８は、（ＲＯＵＴＥＲＥＱメッセージ７６４から）利用可能な発呼者ＤＮを有する。ステップ７２０で、ＩＩＦ４６８は、ＳＭＳ−ＳＣとして作用し始め、配送失敗呼の発呼者番号でＦＳＭ  ＳＭＳメッセージ７７０をＳＧＳＮ３６４に送る。ステップ７２２で、ＳＧＳＮ３６４は、発呼者のＤＮを含む移動機着信ＦＳＭ  ＳＭＳメッセージ７７２をＭＳ３５６に配送し、確認応答を待機する。ステップ７２４で、ＳＧＳＮ３６４は、ＦＳＭ確認メッセージ７７４をＩＩＦ４６８へ返送する。
【００６１】
【発明の効果】
以上述べたごとく、本発明によれば、サービングＧＳＭあるいはＧＰＲＳシステムと、ある一定の「ドメスティックワイヤレス」システムとのインターワーキングおよびインターオペラビリティを可能にする電気通信システムコンポーネント
【００６２】
特許請求の範囲の発明の要件の後に括弧で記載した番号がある場合は、本発明の一実施例の対応関係を示すものであって、本発明の範囲を限定するものと解釈すべきではない。およびそれとともに用いられる方法が提供される。
【図面の簡単な説明】
【図１】ドメスティックワイヤレスサービングシステムと、ＧＳＭホームシステムを含む、相互接続されたネットワークの選択された要素のブロック図であり、システム間のインターワーキングおよびインターオペラビリティのための従来技術の構成を示す。
【図２】ＧＳＭサービングシステムと、ドメスティックワイヤレスホームシステムを含む、相互接続されたネットワークの選択された要素のブロック図であり、システム間のインターワーキングおよびインターオペラビリティのための従来技術の構成を示す。
【図３】ＧＳＭ・ＧＰＲＳサービングシステムと、ドメスティックワイヤレスホームシステムを含む、相互接続されたネットワークの選択された要素のブロック図であり、システム間のインターワーキングおよびインターオペラビリティのための、本発明の特徴に従って構成された第１実施例３００を示す。
【図４】システム間のインターワーキングおよびインターオペラビリティのための、本発明の特徴に従って構成された第２実施例４００を示す、ブロック図とメッセージフロー図の結合図である。この図はさらに、ＤＷ／ＡＮＳＩホーム移動局が最初にＧＰＲＳ専用モードで登録されているときに、この移動局へ試みられた呼配送を処理するために、実施例４００とともに用いられるメッセージ生成・伝達ステップを示す。
【図５】ＤＷ／ＡＮＳＩホーム移動局をＧＰＲＳ専用モードで登録するために、図３および図４のそれぞれの実施例３００および４００とともに用いられるメッセージ生成・伝達ステップを示すメッセージフロー図である。
【図６】ＤＷ／ＡＮＳＩホーム移動局がＧＰＲＳ専用またはＧＳＭ／ＧＰＲＳモードで登録した場合に、ＤＷ／ＡＮＳＩメッセージセンタによって受信されたメッセージをその移動局へ配送するために、図３および図４のそれぞれの実施例３００および４００とともに用いられるメッセージ生成・伝達ステップを示すメッセージフロー図である。
【図７】ＧＰＲＳ専用モードで登録されたＤＷ／ＡＮＳＩホーム移動局へ、その移動局宛の呼の配送に失敗したことの指示を生成し配送するために、図３および図４のそれぞれの実施例３００および４００とともに用いられるメッセージ生成・伝達ステップを示すメッセージフロー図である。
【符号の説明】
１１０  サービングＤＷシステム
１１２  ホームＧＳＭシステム
１１４  ＤＷ移動局
１１６  ＤＷ  ＭＳＣ／ＶＬＲ
１１８  無線リンク
１２２  インターワーキング・インターオペラビリティ機能（ＩＩＦ）
１２４  ＨＬＲエミュレーション機能
１２６  ＧＳＭ  ＭＳＣ／ＶＬＲエミュレーション機能
１２８  信号転送ポイント（ＳＴＰ）
１３０  ＧＳＭ  ＨＬＲ
１３４  登録通知メッセージ
１３６  ＧＳＭプロトコル登録メッセージ
２１０  サービングＧＳＭシステム
２１２  ホームＤＷシステム
２１４  ＭＳ
２１６  ＧＳＭ  ＭＳＣ／ＶＬＲ
２２２  ＩＩＦ
２２４  ＧＳＭ  ＨＬＲ
２２６  ＤＷ  ＭＳＣ／ＶＬＲ
２３０  ＤＷ  ＨＬＲ
２３４  位置更新メッセージ
２３６  登録通知メッセージ
２３８  確認応答
３００  第１実施例
３５０  ＧＳＭ・ＧＰＲＳサービングシステム
３５２  ドメスティックワイヤレス（ＤＷ）ホームシステム
３５６  移動局（ＭＳ）
３５８  無線リンク
３６０  無線機器
３６２  ＧＳＭ移動通信交換センタ
３６４  サービングＧＰＲＳサポートノード（ＳＧＳＮ）
３６８  結合ＩＩＦ
３７０  ＧＳＭインターワーキング・インターオペラビリティ機能（ＧＳＭ  ＩＩＦ）
３７２  ＧＳＭ  ＨＬＲコンポーネント
３７４  ＧＳＭショートメッセージサービス・サービスセンタ（ＳＭＳ−ＳＣ）コンポーネント
３７６  ＡＮＳＩ／ＤＷ移動通信交換センタ／在圏ロケーションレジスタ（ＭＳＣ／ＶＬＲ）コンポーネント
３７８  ＡＮＳＩ／ＤＷホームロケーションレジスタ（ＨＬＲ）
３８０  ＧＰＲＳインターワーキング・インターオペラビリティ機能（ＧＰＲＳ
ＩＩＦ）
３８２  ＧＰＲＳ  ＨＬＲコンポーネント
３８４  ＧＰＲＳショートメッセージサービス・サービスセンタ（ＳＭＳ−ＳＣ）コンポーネント
３８６  ＡＮＳＩ／ＤＷ移動通信交換センタ／在圏ロケーションレジスタ（ＭＳＣ／ＶＬＲ）コンポーネント
３８８  ＤＷメッセージセンタ
４００  第２実施例
４２０  アドレスメッセージ（ＩＡＭ）
４２６  移動機着信−ショートメッセージ転送（ＭＴ−ＦＳＭ）メッセージ
４３６  許可指令（ＱｕａｌＤｉｒ）メッセージ
４４２  ＳＭＳメッセージ
４５０  ボイスメール（音声メッセージ）システム
４６８  インターワーキング・インターオペラビリティ機能
５０２  ＴＤＭＡ  ＭＳＣ／ＶＬＲ（ＤＷ／ＡＮＳＩ  ＭＳＣ／ＶＬＲ）
５７０  位置更新要求メッセージ
５７２  ＲＥＧＮＯＴ  ＩＮＶＯＫＥメッセージ
５７４  ＲＥＧＣＡＮＣメッセージ
５７８  ｒｅｇｎｏｔ確認メッセージ
５８０  ＧＳＭ  ＭＡＰ加入者データ挿入メッセージ
６６０  ＳＭＳ要求起動メッセージ（ＳＭＳＲＥＱ）
６６２  ＳＭＳ要求結果返信メッセージ（ｓｍｓｒｅｑ）
６６４  ショートメッセージ配送ポイントツーポイント（ＳＭＤＰＰ）メッセージ
６６６  ショートメッセージ転送（ＦＳＭ）
６６８  ショートメッセージ転送確認
６７０  ＳＭＤＰＰ結果返信メッセージ（ｓｍｄｐｐ［ＡＣＫ］）
７６０  入呼
７６２  ＬＯＣＲＥＣメッセージ
７６４  ＲＯＵＴＥＲＥＱメッセージ
７６６  ｒｏｕｔｅｒｅｑメッセージ
７６８  ｌｏｃｒｅｑメッセージ
７７０  ＦＳＭ  ＳＭＳメッセージ
７７４  ＦＳＭ確認メッセージ
【図１】
0004104333.tif 000002
【図２】
0004104333.tif 000003
【図３】
0004104333.tif 000004
【図４】
0004104333.tif 000005
【図５】
0004104333.tif 000006
【図６】
0004104333.tif 000007
【図７】
0004104333.tif 000008